(57)【特許請求の範囲】
【請求項１】
リチウム含有遷移金属カルコゲナイドを活物質とした正極、負極および有機電解液を内填したリチウム二次電池において、負極活物質として粒径９μｍ以上の非黒鉛カ―ボンと粒径３μｍ以下の黒鉛を使用し、負極の空隙率が１５〜３０体積％であることを特徴とするリチウム二次電池。
【請求項２】
非黒鉛カ―ボンは、層間距離〔ｄ002 〕が３．５Å以上で、かつｃ軸方向の結晶子サイズ〔Ｌｃ〕が１００Å以下である請求項１に記載のリチウム二次電池。
【請求項３】
黒鉛は、層間距離〔ｄ002 〕が３．４Å以下で、かつｃ軸方向の結晶子サイズ〔Ｌｃ〕が３００Å以上である請求項１に記載のリチウム二次電池。
【請求項４】
負極全活物質重量に対して黒鉛が２〜３０重量％である請求項１〜３のいずれかに記載のリチウム二次電池。
【発明の詳細な説明】
【０００１】
【発明の属する技術分野】
本発明は、リチウム二次電池に関し、さらに詳しくは、リチウム二次電池の負極活物質の改良に関するものである。
【０００２】
【従来の技術】
リチウム二次電池の負極活物質としては、一般的に、カ―ボンが用いられている。このカ―ボンは、層状構造を有しており、原料を焼成する際の温度により、結晶性が決められ、カ―ボンの結晶性の高いほど高容量を示すことが知られている。現存する最高の結晶性を有する天然黒鉛の層間距離〔ｄ００２  〕は３．５５Åで、かつｃ軸方向の結晶子サイズ〔Ｌｃ〕は１，０００Å以上であり、理論容量３７２ｍＡｈ／ｇ（すなわち、Ｃ６  Ｌｉ）を示す。
【０００３】
しかし、近年の盛んな研究開発により、黒鉛の理論容量をはるかに超える容量を有する非黒鉛カ―ボンが多数現れてきた。たとえば、フエノ―ル樹脂を約７００℃で焼成して得られるポリアセン系有機高分子半導体は、カ―ボン重量あたり８５０ｍＡｈ／ｇの高容量が（第３５回電池討論会要旨集、２Ｂ１５）、ポリパラフエニレンのような有機高分子化合物を５００〜１，５００℃で焼成して得られるカ―ボンは、６８０ｍＡｈ／ｇの高容量が（日経産業新聞、１９９４年５月２日）、それぞれ得られるとの報告がなされている。この理由としては、非黒鉛カ―ボンの層間距離〔ｄ００２  〕が天然黒鉛のそれに比べてはるかに大きく、また層構造以外に多くの空孔を有し、そこに多量のリチウムをド―プできるため、高容量が得られると考えられている。
【０００４】
【発明が解決しようとする課題】
しかしながら、一般的に、空孔の多い非黒鉛カ―ボンは、黒鉛に比べると、真比重が小さい。すなわち、黒鉛の真比重が２．０ｇ／ｃｃ以上であるのに対し、非黒鉛カ―ボンのそれは１．５〜１．７ｇ／ｃｃ程度である。また、非黒鉛カ―ボンは、積層構造が少ないために、層面間のすべりによる変形が起こり難く、その粒子の硬度は黒鉛に比べて大きい。したがつて、非黒鉛カ―ボンとバインダを混合しプレスして電極を作製した場合、黒鉛を用いた場合に比べて充填されにくく、そのために、非黒鉛カ―ボンは重量あたりでは高容量を示すものの、電極体積あたりでは黒鉛より低い容量となつてしまう。
【０００５】
また、アモルフアス構造を有する非黒鉛カ―ボンは、電気的等方性を示すために、その粒子の導電性が黒鉛のそれに比べて低く、かつ非黒鉛カ―ボンに多く存在する空孔中のリチウムの拡散速度は、層間のそれに比べると、非常に遅いという欠点を有する。このため、非黒鉛カ―ボンをリチウム二次電池の負極活物質として用いた場合の電池の負荷特性は、黒鉛を用いた場合に比べて悪くなり、加えて電池容量も低くなる結果となる。
【０００６】
したがつて、本発明は、リチウム二次電池の負極を改善し、高容量でかつ負荷特性にすぐれたリチウム二次電池を提供することを目的とする。
【０００７】
【課題を解決するための手段】
本発明者らは、上記の目的に対し、鋭意検討した結果、負極活物質として特定粒径の非黒鉛カ―ボンと黒鉛とを併用して、かつ負極の空隙率を特定範囲に設定することにより、高容量でかつ負荷特性にすぐれたリチウム二次電池が得られることを見い出し、本発明を完成するに至つた。
【０００８】
すなわち、本発明は、リチウム含有遷移金属カルコゲナイドを活物質とした正極、負極および有機電解液を内填したリチウム二次電池において、負極活物質として粒径９μｍ以上の非黒鉛カ―ボンと粒径３μｍ以下の黒鉛を使用し、負極の空隙率が１５〜３０体積％であることを特徴とするリチウム二次電池（請求項１）に係るものであり、この二次電池において、とくに、上記の非黒鉛カ―ボンが、層間距離〔ｄ００２  〕が３．５Å以上で、かつｃ軸方向の結晶子サイズ〔Ｌｃ〕が１００Å以下である構成（請求項２）、上記の黒鉛が、層間距離〔ｄ００２  〕が３．４Å以下で、かつｃ軸方向の結晶子サイズ〔Ｌｃ〕が３００Å以上である構成（請求項３）を、それぞれ好ましい態様としている。
【０００９】
【発明の実施の形態】
本発明に用いる黒鉛は、結晶性が高く非常に発達した積層構造を有するため、導電性が高く、かつ３００ｍＡｈ／ｇ以上の高容量を示す。しかし、図１に示すように、黒鉛のみを負極活物質として用いた負極（■印）の充電容量は、低結晶性の非黒鉛カ―ボンのみを用いた負極（○印）のそれに比べて小さい。一方、非黒鉛カ―ボンと黒鉛の両者を活物質とする負極（△印）の場合、非黒鉛カ―ボンだけでなく、黒鉛にも完全に充電されるため、黒鉛が導電助剤としての役割も果たすのに加えて、負極全体の充放電容量にも大きく寄与することができる。
【００１０】
また、図１に示すように、低結晶性の非黒鉛カ―ボンのみを用いた負極の充電電位は、充電末期において非常に低い（Ｌｉ金属の電位に近い）ため、極板上でＬｉ金属（デンドライト）が析出しやすいという欠点がある。しかし、図１に示すように、非黒鉛カ―ボンと黒鉛の両者を用いた負極の充電電位は、非黒鉛カ―ボン単体のそれに比べて高くなることが明らかとなつた。したがつて、非黒鉛カ―ボンと黒鉛の両方を用いることによつて、Ｌｉ金属の析出が起こり難くすることもできる。さらに、図２に示すように、非黒鉛カ―ボンと黒鉛の両者を用いた負極（△印）の放電容量は、低結晶性の非黒鉛カ―ボンのみを用いた負極（○印）のそれよりわずかに小さいが、黒鉛のみを負極活物質として用いた負極（■印）と比べると、明らかに大きい。
【００１１】
したがつて、非黒鉛カ―ボンと黒鉛からなる活物質とすることにより、負極全体の充放電容量を向上することができ、非黒鉛カ―ボンのみを用いた場合と比較して、リチウム金属（デンドライト）の発生を抑制できるとともに、高エネルギ―密度のリチウム二次電池が得られるものと考えられる。
【００１２】
一方、電池の高容量化を達成するには、負極を高密度化、すなわち、体積あたりの容量を増大させる必要がある。ところが、非黒鉛カ―ボンはその粒子の硬さゆえに、プレスしても押し潰され難いという問題がある。そのため、非黒鉛カ―ボンを用いた負極は、カ―ボン自身が持つ空孔（ポア）以外に多くの空隙を有し、密度が低くなつてしまう。このため、電解液の負極への浸透にすぐれるものの、単位体積あたりのカ―ボンが減少するため、リチウムがド―プできる量が制限され、高容量の電池が得られないことになる。
【００１３】
そこで、本発明者らが検討した結果、非黒鉛カ―ボンと黒鉛を負極活物質とする場合に、粒径が９μｍ以上の非黒鉛カ―ボンと、粒径が３μｍ以下の黒鉛を用い、かつ負極中の空隙量を１５〜３０体積％とすると、非黒鉛カ―ボンと黒鉛を用いた場合の上記効果を十分に発揮できることが明らかとなつた。
【００１４】
すなわち、非黒鉛カ―ボンの粒径は、粒子間の空隙を一定体積以上確保して、その空隙内に黒鉛粒子を入り込ませることが必要であり、また非黒鉛カ―ボンのみを用いた場合と同等の体積で負極を作製するため、さらには粒径が小さすぎると非黒鉛カ―ボンを結着するバインダの必要量が増加してしまうため、体積あたりのカ―ボン重量が減り、容量が低下することから、非黒鉛カ―ボンの粒径としては、９μｍ以上であることが必要である。
【００１５】
なお、非黒鉛カ―ボンの粒径があまりに大きすぎると、負極密度の減少および負荷特性の低下を招くことになるため、２０μｍ以下であるのが好ましい。また、このような非黒鉛カ―ボンとしては、層間距離〔ｄ００２  〕が３．５Å以上で、かつｃ軸方向の結晶子サイズ〔Ｌｃ〕が１００Å以下であるものが好ましく、層間距離〔ｄ００２  〕が３．７Å以上で、かつｃ軸方向の結晶子サイズ〔Ｌｃ〕が２０Å以下であるものがより好ましい。これは、電池の作動電圧が高くなる領域で高容量化が可能となるためである。
【００１６】
黒鉛の粒径は、上記非黒鉛カ―ボンの粒子間の空隙内に入り込ませるために、３μｍ以下、好ましくは３〜０．５μｍ、より好ましくは２〜０．５μｍとするのがよく、これにより上記構造の負極とすることが可能となり、従来と同等の体積で負極を作製できる。また、このような黒鉛としては、層間距離〔ｄ００２  〕が３．４Å以下で、かつｃ軸方向の結晶子サイズ〔Ｌｃ〕が３００Å以上であるものが好ましく、層間距離〔ｄ００２  〕が３．３７Å以下で、かつｃ軸方向の結晶子サイズ〔Ｌｃ〕が３５０Å以上であるものがより好ましい。これは、電池の作動電圧が高くなる領域で高容量化が可能となるためである。
【００１７】
本発明においては、上記粒径の非黒鉛カ―ボンと黒鉛を用いるとともに、負極の空隙率を１５〜３０体積％の範囲内に規制することが重要である。すなわち、前述のように、非黒鉛カ―ボンのみを用いた負極では、その粒子の大きさおよび硬度から、負極作製時のプレス時にプレスされにくいため、充填率が低くなる。一方、黒鉛のみを用いた負極では、粒子径が小さいため、粒子同志が近接しすぎて、電解液の浸透が十分得られないことになる。
【００１８】
本発明者らの検討の結果、上記粒径の非黒鉛カ―ボンと黒鉛を用いる場合に、負極の空隙率を１５〜３０体積％、好ましくは２０〜２５体積％としたときに、電解液の浸透を良好にできるために、充放電に有効な単位体積あたりの活物質量を向上させることができることが明らかとなつた。
【００１９】
すなわち、負極の空隙率を１５体積％以上とすると、電解液の浸透性を十分に確保できることにより、負荷特性を向上できるとともに、活物質と電解液との接触面積を大きくすることができる。また、負極の空隙率を３０体積％以下とすることにより、活物質の充填率を向上させることができ、高容量化を図ることができる。なお、本発明にいう空隙率とは、（負極体積−各固形分の真密度の逆数）／負極体積により、求めることができる
【００２０】
本発明において、上記粒径の非黒鉛カ―ボンと黒鉛との混合割合は、上記の空隙率が得られるものであれば、とくにその範囲は制限されない。一般に、黒鉛粒子表面での電解液分解被膜による不可逆容量の低減を考慮して、全活物質重量に対して黒鉛が２〜３０重量％の範囲となるのが望ましい。
【００２１】
本発明において、負極は、たとえば、上記の非黒鉛カ―ボンと黒鉛を負極活物質とし、必要に応じて電子伝導助剤を添加し、たとえば、ポリフツ化ビニリデン、ポリテトラフルオロエチレン、エチレン−プロピレン−ジエンゴムなどのバインダを加え、さらに溶剤を加えて混合して塗料を調製し、この塗料を集電体に塗布し乾燥して、塗膜を形成することにより、作製できる。ただし、負極の作製方法は、上記の方法に限られることなく、他の方法を採用してもよい。
【００２２】
本発明において、正極活物質としては、リチウム含有遷移金属酸化物が用いられ、具体的には、リチウムコバルト酸化物、リチウムニツケル酸化物、リチウムマンガン酸化物（これらは、通常、それぞれ、ＬｉＣｏＯ２  、ＬｉＮｉＯ２  、ＬｉＭｎＯ２  などで表すが、これらのＬｉとＮｉの比、ＬｉとＣｏの比、ＬｉとＭｎの比は、化学量論組成からずれている場合が多い）などのリチウム含有複合金属化合物が単独でまたは２種以上の混合物として、あるいはそれらの固溶体として、用いられる。ただし、正極活物質は、これらにのみ限定されることはなく、他のものであつてもよい。
【００２３】
正極の作製に際しては、上記の正極活物質に、必要により、りん状黒鉛、アセチレンブラツク、カ―ボンブラツクなどの電子伝導助剤や、ポリフツ化ビニリデン、ポリテトラフルオロエチレン、エチレン−プロピレン−ジエンゴム（ＥＰＤＭ）などのバインダを添加してもよい。正極は、これらの成分を溶剤に溶解または分散させて調製した塗料を集電体に塗布し乾燥して、集電体上に正極活物質を含有する塗膜を形成することにより、作製される。ただし、正極の作製方法は、上記の方法に限られることなく、他の方法を採用してもよい。
【００２４】
本発明において、正極と負極における活物質の量比としては、正極活物質の種類よつても異なるが、たとえば、正極活物質としてリチウムコバルト酸化物（ＬｉＣｏＯ２  ）を用いる場合、正極活物質／負極活物質（非黒鉛カ―ボンと黒鉛）＝１．８〜２．８（重量比）であるのが好ましい。
【００２５】
本発明において、正極および負極用の塗料を集電体に塗布する方法としては、たとえば、押し出しコ―タ、リバ―スロ―ラ、ドクタ―ブレ―ドなどをはじめ、各種の塗布方法を採用することができる。また、上記の集電体としては、アルミニウム、ステンレス鋼、チタン、銅などの金属の網、パンチドメタル、エキスパンドメタル、フオ―ムメタル、箔などが用いられる。
【００２６】
本発明において、有機電解液の溶媒としては、とくに限定されないが、鎖状エステルを主溶媒として用いるのが好ましい。このような鎖状エステルとしては、たとえば、ジメチルカ―ボネ―ト（ＤＭＣ）、ジエチルカ―ボネ―ト（ＤＥＣ）、メチルエチルカ―ボネ―ト（ＭＥＣ）、エチルアセテ―ト（ＥＡ）、プロピオン酸メチル（ＰＭ）などの鎖状のＣＯＯ−結合を有する有機溶媒が挙げられる。この鎖状エステルが電解液の主溶媒であるとは、この鎖状エステルが全電解液溶媒中の５０体積％より多い体積を占めることを意味しており、とくに６５体積％以上、さらに７０体積％以上を占めているのが好ましく、最も好ましくは７５体積％以上を占めているのがよい。
【００２７】
上記の鎖状エステルを主溶媒にするのが好ましい理由は、鎖状エステルが全電解液溶媒中の５０体積％を超えると、電池特性、とくに低温特性が改善されるためである。ただし、電解液溶媒は、上記の鎖状エステルのみで構成するよりも、電池容量の向上を図るため、上記の鎖状エスルに誘電率の高いエステル（誘電率３０以上のエステル）を混合して用いのが好ましい。
【００２８】
この誘電率の高いエステルの全電解液溶媒中に占める量は、１０体積％以上、とくに２０体積％以上が好ましい。１０体積％以上になると、容量の向上が明確に発現され、２０体積％以上になると容量の向上がより一層明確に発現される。ただし、誘電率の高いエステルが多くなりすぎると、電池の放電特性が低下する傾向があり、誘電率の高いエステルの全電解液溶媒中で占める量は、その上限として、４０体積％以下であるのが好ましく、より好ましくは３０体積％以下、さらに好ましくは２５体積％以下であるのがよい。
【００２９】
上記の誘電率の高いエステルとしては、たとえば、エチレンカ―ボネ―ト（ＥＣ）、プロピレンカ―ボネ―ト（ＰＣ）、ブチレンカ―ボネ―ト（ＢＣ）、ガンマ―ブチロラクトン（γ−ＢＬ）、エチレングリコ―ルサルフアイト（ＥＧＳ）などが挙げられ、とくにエチレンカ―ボネ―ト、プロピレンカ―ボネ―トなどの環状構造のものが好ましく、とりわけ環状のカ―ボネ―トが好ましい。具体的には、エチレンカ―ボネ―トが最も好ましい。
【００３０】
上記の誘電率の高いエステル以外に、たとえば、１，２−ジメトキシエタン（ＤＭＥ）、１，３−ジオキソラン（ＤＯ）、テトラヒドロフラン（ＴＨＦ）、２−メチル−テトラヒドロフラン（２−Ｍｅ−ＴＨＦ）、ジエチルエ―テル（ＤＥＥ）などを併用してもよい。そのほか、アミンイミド系有機溶媒や、含硫黄または含フツ素系有機溶媒なども用いることができる。
【００３１】
有機電解液の電解質としては、たとえば、ＬｉＣｌＯ４  、ＬｉＰＦ６  、ＬｉＢＦ４  、ＬｉＡｓＦ６  、ＬｉＳｂＦ６  、ＬｉＣＦ３  ＳＯ３  、ＬｉＣ４  Ｆ９  ＳＯ３  、ＬｉＣＦ３  ＣＯ２  、Ｌｉ２  Ｃ２  Ｆ４  （ＳＯ３  ）２  、ＬｉＮ（ＣＦ３  ＳＯ２  ）２  、ＬｉＣ（ＣＦ３  ＳＯ２  ）３  、ＬｉＣｎ  Ｆ２ｎ＋１ＳＯ３  （ｎ≧２）などが単独でまたは２種以上混合して用いられる。これらの中でも、ＬｉＰＦ６  やＬｉＣ４  Ｆ９  ＳＯ３  などは充放電特性が良好なため、とくに好ましい。有機電解液中における電解質の濃度は、とくに限定されないが、通常は０．３〜１．７モル／リツトル、好ましくは０．４〜１．５モル／リツトルであるのがよい。
【００３２】
本発明のリチウム二次電池は、電池缶内に、上記したようなリチウム含有遷移金属カルコゲナイドを活物質とした正極、上記した特定粒径の非黒鉛カ―ボンと黒鉛を活物質とした負極、ならびに上記した有機電解液を内填した構成をとるものであつて、上記の正極と負極との間には適宜のセパレ―タが介装される。このセパレ―タとしては、強度が十分でしかも電解液を多く保持できるものがよく、この点から、厚さが１０〜５０μｍで、開口率が３０〜７０％であるポリプロピレン製またはポリエチレン製のセパレ―タが好ましい。
【００３３】
【実施例】
つぎに、本発明の実施例を記載して、より具体的に説明する。
【００３４】
実施例１
非黒鉛カ―ボンとして、フエノ―ル樹脂を１，１００℃で焼成したバルクカ―ボンを粉砕して得た粒径１０μｍの粉末（ｄ００２  ：３．８Å、Ｌｃ：１２Å）を用い、黒鉛として、石油ピツチを３，０００℃で焼成したバルクカ―ボンを粉砕して得た粒径１μｍの粉末（ｄ００２  ：３．３７Å、Ｌｃ：３６０Å）を用いた。この非黒鉛カ―ボンと黒鉛を重量比９０：１０で混合して負極活物質とし、バインダとしてポリフツ化ビニリデン（ＰＶＤＦ）、溶媒としてＮ−メチル−２−ピロリドンを用いて、負極合剤を調製し、銅箔の両面に塗布した。これを乾燥したのち、４０Ｋｇ／ｃｍ２  でカレンダ―ロ―ルプレスして、シ―ト負極とした。このようにして得たシ―ト負極の空隙率は２３体積％であつた。
【００３５】
つぎに、このシ―ト負極を作用極とし、対極および参照極にリチウム箔を用いて、エチレンカ―ボネ―トとメチルエチルカ―ボネ―トの重量比１：１の混合溶媒にＬｉＰＦ６  を１モル／リツトルの濃度に溶解した溶液を有機電解液として、モデルセルを作製した。
【００３６】
実施例２
負極活物質において、非黒鉛カ―ボンとして、フエノ―ル樹脂を１，１００℃で焼成したバルクカ―ボンを粉砕して得た粒径２０μｍの粉末（ｄ００２  ：３．８Å、Ｌｃ：１２Å）を用い、シ―ト負極の空隙率を２１体積％とした以外は、実施例１と同様にして、モデルセルを作製した。
【００３７】
実施例３
負極活物質において、黒鉛として、石油ピツチを３，０００℃で焼成したバルクカ―ボンを粉砕して得た粒径３μｍの粉末（ｄ００２  ：３．３７Å、Ｌｃ：３６０Å）を用い、シ―ト負極の空隙率を２４体積％とした以外は、実施例１と同様にして、モデルセルを作製した。
【００３８】
実施例４
負極活物質において、非黒鉛カ―ボンとして、石油ピツチを８００℃で焼成したバルクカ―ボンを粉砕して得た粒径１０μｍの粉末（ｄ００２  ：３．５４Å、Ｌｃ：１７Å）を用い、シ―ト負極の空隙率を２６体積％とした以外は、実施例１と同様にして、モデルセルを作製した。
【００３９】
実施例５
非黒鉛カ―ボンと黒鉛を重量比７０：３０で混合したものを負極活物質とし、シ―ト負極の空隙率を２２体積％とした以外は、実施例１と同様にして、モデルセルを作製した。
【００４０】
比較例１
負極活物質において、黒鉛を使用せず、そのぶん非黒鉛カ―ボンの使用量を増やし、シ―ト負極の空隙率を３５体積％とした以外は、実施例１と同様にして、モデルセルを作製した。
【００４１】
比較例２
負極活物質において、非黒鉛カ―ボンを使用せず、そのぶん黒鉛の使用量を増やし、シ―ト負極の空隙率を１０体積％とした以外は、実施例１と同様にして、モデルセルを作製した。
【００４２】
比較例３
負極活物質において、粒径１０μｍの非黒鉛カ―ボンに代えて、粒径４μｍの非黒鉛カ―ボンを用い、シ―ト負極の空隙率を２７体積％とした以外は、実施例１と同様にして、モデルセルを作製した。
【００４３】
比較例４
負極活物質において、粒径１μｍの黒鉛に代えて、粒径１０μｍの黒鉛を用い、シ―ト負極の空隙率を３３体積％とした以外は、実施例１と同様にして、モデルセルを作製した。
【００４４】
比較例５
カレンダ―ロ―ルプレス圧を１５Ｋｇ／ｃｍ２  とし、シ―ト負極の空隙率を３４体積％とした以外は、実施例１と同様にして、モデルセルを作製した。
【００４５】
比較例６
カレンダ―ロ―ルプレス圧を９０Ｋｇ／ｃｍ２  とし、シ―ト負極の空隙率を１３体積％とした以外は、実施例１と同様にして、モデルセルを作製した。
【００４６】
上記の実施例１〜５および比較例１〜６の各モデルセルについて、０Ｖ対Ｌｉ／Ｌｉ＋  まで充電したのち、０．５ｍＡ／ｃｍ２  の電流密度で１．５Ｖまで放電させたときの電極体積あたりの放電容量、５ｍＡ／ｃｍ２  での０．５ｍＡ／ｃｍ２  の場合に対する放電容量維持率（負荷特性）、ならびに初回充放電における不可逆容量（リテンシヨン）の放電容量に対する割合を示した。これらの結果は、下記の表１に示されるとおりであつた。
【００４７】
0003613372.tif 000002
【００４８】
上記の表１から明らかなように、負極活物質として非黒鉛カ―ボンと黒鉛を使用した実施例１〜５では、黒鉛を添加していない比較例１に比べて、体積あたりの放電容量（ｍＡｈ／ｃｃ）が増加し、さらに黒鉛の効果が加わつて負荷特性が著しく向上していることがわかる。
【００４９】
これに対し、黒鉛のみからなる比較例２では、容量は同程度であるが、粒子間の空隙が少なくなるため、負荷特性およびリテンシヨンが低下している。また、粒径が４μｍの非黒鉛カ―ボンを用いた比較例３では、それを結着するバインダ量が他に比べて多くなるため、負極合剤に対する活物質密度（カ―ボン密度）が低くなり、体積あたりの放電容量が小さくなり、負荷特性も低下している。さらに、粒径が１０μｍの黒鉛を用いた比較例４では、負極の空隙率ほほとんど増加せず、放電容量は低いものとなつている。また、非黒鉛カ―ボンと黒鉛を活物質とした負極であつても、プレス圧の設定により空隙率を大きくしすぎた比較例５では、体積あたりの容量が低下し、逆に空隙率を小さくしすぎた比較例６では、電極の吸液性が低下するため、負荷特性が悪くなつている。
【００５０】
【発明の効果】
以上のように、本発明は、粒径９μｍ以上の非黒鉛カ―ボンと粒径３μｍ以下の黒鉛を負極活物質として使用し、かつ負極の空隙率を１５〜３０体積％に設定したことにより、非黒鉛カ―ボン、黒鉛のみからなる負極活物質では困難であつた負極の高密度化が容易となり、高容量で負荷特性およびリテンシヨンにすぐれるリチウム二次電池を提供することができる。
【図面の簡単な説明】
【図１】Ｌｉに対する充電電位と充電容量との関係を示す特性図である。
【図２】Ｌｉに対する放電電位と放電容量との関係を示す特性図である。
【図１】
0003613372.tif 000003
【図２】
0003613372.tif 000004